(57)【要約】【課題】ネットワークフォローに要する時間を短縮することができる受信装置および受信方法を提供すること。【解決手段】各放送事業者および当該放送事業者が提供する各サービスを識別するために放送信号へ重畳されるサービス識別情報に対し、放送事業者の属する放送系列を対応付けた系列情報を予め記憶しておき、受信した放送信号からサービス識別情報を取得するとともに、放送信号の出力中に受信可能な他の放送信号を検索し、検索した他の放送信号および出力中の放送信号からそれぞれ取得されたサービス識別情報に対応する放送系列が同一であった場合に、当該他の放送信号を出力の切替先として決定するように放送受信装置を構成する。【選択図】図１
2012039196.tif 000002
【特許請求の範囲】
【請求項１】
地上デジタル放送の放送信号を受信する受信装置であって、
各放送事業者および当該放送事業者が提供する各サービスを識別するために前記放送信号へ重畳されるサービス識別情報に対し、前記放送事業者の属する放送系列を対応付けた系列情報を記憶する記憶手段と、
受信した放送信号から前記サービス識別情報を取得する取得手段と、
放送信号の出力中に、受信可能な他の放送信号を検索する検索手段と、
当該他の放送信号および出力中の前記放送信号からそれぞれ取得された前記サービス識別情報に対応する前記放送系列が同一か否かを前記系列情報に基づいて判定し、同一であった場合に、当該他の放送信号を出力の切替先として決定する決定手段と
を備えたことを特徴とする受信装置。
【請求項２】
前記取得手段によって取得された前記サービス識別情報が前記記憶手段に記憶されていない場合、当該サービス識別情報に対応する前記放送系列を取得して当該サービス識別情報へ対応付け、前記記憶手段へ記憶させて前記系列情報を更新する更新手段
をさらに備えたことを特徴とする請求項１に記載の受信装置。
【請求項３】
前記記憶手段は、
前記放送事業者が前記サービスを提供する放送地域を識別するために付与されている地域識別情報に対し、当該地域識別情報に対応する放送地域と隣接する他の放送地域の地域識別情報を対応付けた隣接地域情報をさらに記憶し、
前記検索手段は、
出力中の放送信号を送信している前記放送事業者の前記放送地域に隣接する前記放送地域で送信されている他の放送信号を前記隣接地域情報に基づいて検索する
ことを特徴とする請求項１または請求項２に記載の受信装置。
【請求項４】
地上デジタル放送の放送信号を受信する受信装置による受信方法であって、
各放送事業者および当該放送事業者が提供する各サービスを識別するために前記放送信号へ重畳されるサービス識別情報に対し、前記放送事業者の属する放送系列を対応付けた系列情報を記憶する記憶工程と、
受信した放送信号から前記サービス識別情報を取得する取得工程と、
放送信号の出力中に、受信可能な他の放送信号を検索する検索工程と、
当該他の放送信号および出力中の前記放送信号からそれぞれ取得された前記サービス識別情報に対応する前記放送系列が同一であるか否かを前記系列情報に基づいて判定し、同一であった場合に、当該他の放送信号を出力の切替先として決定する決定工程と
を含んだことを特徴とする受信方法。
【発明の詳細な説明】
【技術分野】
【０００１】
本発明は、受信装置および受信方法に関するものであり、特に、ネットワークフォローに要する時間を短縮することができる受信装置および受信方法に関する。
【背景技術】
【０００２】
地上デジタル放送は、ＵＨＦ帯域のチャンネルが使用されているため放送エリアに制限がある。このため、同一放送系列に属する各放送事業者は、放送エリア毎にそれぞれ異なるチャンネルを使用して同じ番組を放送している。
【０００３】
ところで、車載型の受信装置のように移動しながら地上デジタル放送を受信する受信装置は、地上デジタル放送の番組を受信中に、ある放送事業者の放送地域から別の放送事業者の放送地域へ移動することがある。
【０００４】
このため、受信装置には、別の放送地域へ移動する場合に、受信中の番組を放送している放送事業者と同一放送系列に属する他の放送事業者が使用しているチャンネルを検索してチャンネルの再設定（以下、「ネットワークフォロー」という）を行うものもある。
【０００５】
たとえば、特許文献１には、受信した放送信号から放送事業者の放送系列を示す系列ＩＤを取得し、取得した系列ＩＤに基づいてネットワークフォローを行う受信装置が記載されている。
【０００６】
具体的には、特許文献１に記載の放送受信装置は、放送信号を受信する２つの受信機を備え、一方の受信機が選局したチャンネルで番組を受信中に、他方の受信機が一方の受信機で選局されているチャンネル以外で受信可能なチャンネルを検索する。
【０００７】
そして、特許文献１に記載の放送受信装置は、２つの受信機によって受信された放送信号から取得した各系列ＩＤが一致するか否かを判断してネットワークフォローを行う。
【先行技術文献】
【特許文献】
【０００８】
【特許文献１】特開２００９−１９４６０３号公報
【発明の概要】
【発明が解決しようとする課題】
【０００９】
しかしながら、上記特許文献１に記載の放送受信装置では、ネットワークフォローに要する時間を短縮することが困難であるという問題があった。すなわち、上記特許文献１に記載の受信装置がネットワークフォローに用いている系列ＩＤは、１秒おきに送信されることが規定されている情報である。
【００１０】
したがって、特許文献１に記載の受信装置は、２つの受信機によって受信された放送信号から取得した各系列ＩＤが一致するか否かを判定するために１チャンネルあたり少なくとも１秒の時間を要する。
【００１１】
このように、特許文献１に記載の受信装置では、１秒おきにしか送信されない系列ＩＤを用いてネットワークフォローを行っていたため、ネットワークフォローに要する時間を短縮することが困難であった。
【００１２】
このことから、ネットワークフォローに要する時間を短縮することができる受信装置および受信方法をいかにして実現するかが大きな課題となっている。
【００１３】
本発明は、上記に鑑みてなされたものであって、ネットワークフォローに要する時間を短縮することができる受信装置および受信方法を提供することを目的とする。
【課題を解決するための手段】
【００１４】
上述した課題を解決し、目的を達成するために、本発明は、地上デジタル放送の放送信号を受信する受信装置であって、各放送事業者および当該放送事業者が提供する各サービスを識別するために前記放送信号へ重畳されるサービス識別情報に対し、前記放送事業者の属する放送系列を対応付けた系列情報を記憶する記憶手段と、受信した放送信号から前記サービス識別情報を取得する取得手段と、放送信号の出力中に、受信可能な他の放送信号を検索する検索手段と、当該他の放送信号および出力中の前記放送信号からそれぞれ取得された前記サービス識別情報に対応する前記放送系列が同一か否かを前記系列情報に基づいて判定し、同一であった場合に、当該他の放送信号を出力の切替先として決定する決定手段とを備えたことを特徴とする。
【発明の効果】
【００１５】
本発明によれば、系列ＩＤよりも短い周期で受信されるサービス識別情報に基づき、出力中の放送信号を送信している放送事業者と同一の放送系列に属する他の放送事業者が送信している放送信号を検索することができる。したがって、本発明によれば、系列ＩＤに基づいてネットワークフォローを行う場合に比べ、ネットワークフォローに要する時間を短縮することができるという効果を奏する。
【図面の簡単な説明】
【００１６】
【図１】図１は、本発明に係る受信手法の概要を示す図である。
【図２】図２は、本実施例に係る受信装置の構成を示すブロック図である。
【図３】図３は、本実施例に係る系列情報を示す図である。
【図４】図４は、本実施例に係る受信装置の動作を示す図である。
【図５】図５は、本実施例に係る受信装置で実行される処理を示すフローチャートである。
【図６】図６は、本実施例に係る隣接地域情報の一例を示す図である。
【図７】図７は、本実施例に係る隣接地域情報を記憶している場合の受信装置の動作を示す図である。
【図８】図８は、３つ以上の放送地域が重複する地域を考慮した受信装置の動作の一例を示す図である。
【発明を実施するための形態】
【００１７】
以下に添付図面を参照して、本発明に係る受信装置の実施例を詳細に説明する。まず、実施例の詳細な説明に先立ち、図１を用いて本発明に係る受信手法の概要について説明する。
【００１８】
本発明に係る受信手法は、移動しながら地上デジタル放送（以下、「サービス」という）を受信する場合、同一の放送系列に属する放送事業者が放送しているサービスを順次検索して受信することで同一の番組を継続して出力する所謂ネットワークフォローを行う。
【００１９】
具体的には、本発明に係る受信手法は、ＡＲＩＢ（社団法人電波産業会）によって各サービスの放送信号へ重畳させることが規定されているサービス識別情報（以下、「サービスＩＤ」という）に基づいてネットワークフォローを行う。
【００２０】
なお、サービスＩＤとは、全国の各放送事業者および各放送事業者が提供する各地上デジタル放送（以下、「サービス」という）等を一意に特定するために１００ｍｓ毎に放送信号へ重畳させることが規定されている情報である。
【００２１】
特に、本発明に係る受信手法では、図１（Ａ）に示すように、既知の各サービスＩＤと各サービスＩＤを使用している放送事業者の属する放送系列とを対応付けた系列情報を予め記憶しておく。
【００２２】
そして、本発明に係る受信手法では、かかる系列情報を利用することで従来における受信手法よりも短時間でネットワークフォローを行う。以下、本発明に係る受信手法について従来における受信手法と対比して説明する。
【００２３】
従来における受信手法では、ＡＲＩＢによって放送信号へ重畳させることが規定されている系列ＩＤに基づいてネットワークフォローを行っていた。かかる系列ＩＤは、各放送事業者の属する放送系列を識別するために１ｓ毎に放送信号へ重畳させることが規定されている情報である（図１（Ｂ−１）参照）。
【００２４】
このため、従来の受信手法では、ネットワークフォローを行う場合、１ｓおきにしか出力の切替先を判定するための判定材料となる系列ＩＤを受信することができない。例えば、従来における受信手法によって、Ａ系列に属するＡ社からテレビサービスＡ１を受信中に、図１（Ｂ−２）に示すように、時刻Ｔ１でＢ系列に属するＢ社からテレビサービスＢ１の系列ＩＤを取得したとする。
【００２５】
かかる場合、従来における受信手法では、取得した系列ＩＤがＡ系列でなくＢ系列を示しているため、Ａ系列に属する他の放送事業者が放送中の別のサービスを検索する。このとき、従来の受信手法では、最短で時刻Ｔ１から１ｓ後の時刻Ｔ３まで新たな系列ＩＤを取得することができない（図１（Ｂ−３）参照）。
【００２６】
このため、従来における受信手法では、図１（Ｂ−３）に示すように、時刻Ｔ３でＡ系列に属するＣ社からテレビサービスＣ１の系列ＩＤを取得した場合に、図１（Ｂ−４）に示すように、切替先のサービスをテレビサービスＣ１に決定することになる。
【００２７】
このように、従来における受信手法では、時刻Ｔ１でＡ系列を示す系列ＩＤを取得できなかった場合、出力切替先の判定材料となる系列ＩＤを次に受信するまでに１ｓの時間が必要であった。
【００２８】
そこで、本発明に係る受信手法では、各サービスＩＤと各サービスＩＤに対応する放送系列とを対応付けた系列情報を予め記憶し、１００ｍｓおきに受信するサービスＩＤと系列情報とに基づいてネットワークフォローのための出力の切替先を決定する。
【００２９】
これにより、本発明に係る受信手法によれば、Ａ系列に属するＡ社からテレビサービスＡ１を受信中に、時刻Ｔ１でＡ系列に対応するサービスＩＤを取得できなかった場合、時刻Ｔ１から１００ｍｓ後に、出力切替先の判断材料となるサービスＩＤを取得できる。
【００３０】
すなわち、本発明に係る受信手法では、図１（Ｂ―５）に示すように、時刻Ｔ１でＢ系列に属するＢ社からテレビサービスＢ１のサービスＩＤを取得した場合、サービスＩＤと系列情報とからＢ社の放送系列がＡ系列でないと判断できる。
【００３１】
続いて、本発明に係る受信手法では、図１（Ｂ−６）に示すように、時刻Ｔ１から１００ｍｓ後の時刻Ｔ２にＡ系列に属するＣ社からテレビサービスＣ１のサービスＩＤを取得することで、サービスＩＤと系列情報とからＣ社の放送系列をＡ系列と判断できる。
【００３２】
これにより、本発明に係る受信手法では、図１（Ｂ−７）に示すように、切替先のサービスをテレビサービスＣ１に決定することができる。このように、本発明に係る受信手法では、時刻Ｔ１にＡ系列で放送されている他のサービスを検索できなかった場合、従来における受信手法よりも最短で９００ｍｓ早く出力の切替先を決定することができる。
【００３３】
上述したように、本発明に係る受信手法では、ＡＲＩＢによって１００ｍｓ毎に各サービスの放送信号へ重畳することが規定されているサービスＩＤと各サービスＩＤを使用している放送事業者の属する放送系列とを対応付けた系列情報を予め記憶しておく。
【００３４】
そして、本発明に係る受信手法では、あるサービスの放送信号を受信して出力中に、受信可能な他のサービスの放送信号を検索する。続いて、本発明に係る受信手法では、検索した放送信号および出力中の放送信号からそれぞれ１００ｍｓおきに取得した各サービスＩＤに対応する放送系列が同一か否かを系列情報に基づいて判定する。
【００３５】
そして、本発明に係る受信手法では、検索した放送信号および出力中の放送信号から取得されたサービスＩＤが同一であった場合に、検索した放送信号を出力の切替先として決定する。
【００３６】
したがって、本発明に係る受信手法では、１ｓおきに受信される系列ＩＤに基づいて出力の切替先を決定していた従来における受信手法よりも早期に出力の切替先を決定することができるためネットワークフォローに要する時間を短縮することができる。
【００３７】
以下では、図１を用いて説明した受信手法を適用した受信装置についての実施例を図２〜図９を用いて詳細に説明する。
【実施例】
【００３８】
図２は、本実施例に係る受信装置１の構成を示すブロック図である。なお、同図では、本実施例に係る受信装置１の特徴を説明するために必要な構成要素のみを示しており、一般的な構成要素についての記載を省略している。
【００３９】
図２に示すように、受信装置１は、アンテナ０１、０２によって受信された地上デジタル放送（以下、「サービス」という）を所定の出力装置０３へ出力する装置であり、第１受信部２と、第２受信部３と、制御部４と、記憶部５とを備えている。なお、出力装置０３は、受信したサービスの映像を出力するディスプレイおよび受信したサービスの音声を出力するスピーカを備えている。
【００４０】
また、記憶部５には、各サービスを識別するためのサービスＩＤと各サービスＩＤを使用している放送事業者の属する放送系列とが対応付けられた系列情報５１が記憶されている。なお、サービスＩＤおよび系列情報５１の詳細については、図３を用いて後述する。
【００４１】
第１受信部２および第２受信部３は、アンテナ０１、０２によってそれぞれ受信される各サービスの放送信号をＴＳ（Transport  Stream）信号へ変換してサービスＩＤ取得部４１および出力切替部４２へ出力する処理部である。
【００４２】
同図に示す受信装置１では、第１受信部２によって受信されているサービスを出力装置０３へ出力している場合、出力装置０３へ出力されているサービス以外で受信可能な他のサービスを第２受信部３に検索させる。
【００４３】
このとき、第２受信部３は、出力装置０３へ出力されているサービスを放送している放送事業者と放送系列が同一の他の放送事業者が放送しているサービスを検索する。そして、第１受信部２によるサービスの受信状態が悪化した場合に、第２受信部３によって検索されたサービスへ出力を切り替えることにより、ユーザへ同一番組を継続して視聴させる所謂ネットワークフォローを行う。
【００４４】
なお、受信装置１では、第２受信部３によって受信しているサービスを出力装置０３へ出力している場合、出力装置０３へ出力されているサービス以外で受信可能な他のサービスを第１受信部２に検索させる。そして、第２受信部３によるサービスの受信状態が悪化した場合に、第１受信部２によって検索されたサービスへ出力を切り替えることでネットワークフォローを行う。
【００４５】
制御部４は、ＣＰＵ（Central  Processing  Unit）とＲＯＭ（Read  Only  Memory）とＲＡＭ（Random  Access  Memory）とを有する情報処理装置を備えている。そして、制御部４は、ＣＰＵがＲＯＭから各種プログラムを読出し、ＲＡＭを作業領域として使用して実行することにより機能するサービスＩＤ取得部４１と、出力切替部４２と、系列情報更新部４３とを備えている。
【００４６】
サービスＩＤ取得部４１は、第１受信部２および第２受信部３より入力される各ＴＳ信号のそれぞれから受信中のサービスを識別するために放送信号へ重畳されているサービスＩＤを取得する処理部である。
【００４７】
そして、サービスＩＤ取得部４１は、第１受信部２および第２受信部３より入力される各ＴＳ信号のそれぞれから取得したサービスＩＤに対応する放送系列が同一であるか否かを系列情報５１に基づいて判定する。
【００４８】
続いて、サービスＩＤ取得部４１は、放送系列が同一であると判定した場合、出力装置０３へサービスが出力されていない方の受信部（第１受信部２または第２受信部３）によって検索されたサービスをネットワークフォローのための出力の切替先として決定する。なお、出力の切替先を決定する手順については、図４を用いて後述する。
【００４９】
そして、サービスＩＤ取得部４１は、ネットワークフォローのための出力の切替先を決定した場合、決定した出力の切替先を示す切替先情報を出力切替部４２へ出力する。
【００５０】
一方、サービスＩＤ取得部４１は、第１受信部２および第２受信部３より入力される各ＴＳ信号から取得したサービスＩＤに対応する放送系列が同一でなかった場合、出力装置０３へサービスが出力されていない方の受信部へ他のサービスを検索するよう要求する。
【００５１】
ところで、サービスＩＤ取得部４１は、新たに放送事業者が設立された場合、かかる放送事業者が放送するサービスの放送信号から系列情報５１に含まれていないサービスＩＤを取得することがある。
【００５２】
このように、系列情報５１に含まれていないサービスＩＤを取得した場合、サービスＩＤ取得部４１は、取得したサービスＩＤとともに、サービスＩＤを取得したＴＳ信号を系列情報更新部４３へ出力する。
【００５３】
出力切替部４２は、第１受信部２および第２受信部３により受信される各サービスのうち、いずれか一方のサービスを選択して出力装置０３へ出力する処理部である。具体的には、出力切替部４２は、第１受信部２および第２受信部３から入力されるＴＳ信号に基づいて第１受信部２および第２受信部３による各サービスの受信レベルを判別する。
【００５４】
そして、出力切替部４２は、第１受信部２および第２受信部３による各サービスの受信レベルが反転した場合、サービスＩＤ取得部４１から入力された切替先情報に基づいて出力装置０３へ出力するサービスを切替える。
【００５５】
たとえば、サービスＩＤ取得部４１から出力切替部４２へサービスＩＤ取得部４１によって決定された出力の切替先を示す切替先情報が既に入力されているとする。このとき、出力切替部４２は、第１受信部２により受信中のサービスを出力装置０３へ出力中に、第１受信部２によるサービスの受信レベルが第２受信部３によるサービスの受信レベルを下回った場合、第２受信部３により受信中のサービスへ出力を切替える。
【００５６】
系列情報更新部４３は、サービスＩＤ取得部４１が系列情報５１に含まれていないサービスＩＤを取得した場合に、かかるサービスＩＤに対応する放送系列を取得して系列情報５１を更新する処理部である。
【００５７】
具体的には、系列情報更新部４３は、サービスＩＤ取得部４１から系列情報５１に含まれていないサービスＩＤおよびＴＳ信号が入力されると、入力されたＴＳ信号から放送系列を示す放送系列識別情報（以下、「系列ＩＤ」という）を取得する。
【００５８】
続いて、系列情報更新部４３は、取得した系列ＩＤとサービス取得部４１から入力されたサービスＩＤとを対応付けて記憶部５へ記憶させることにより系列情報５１を更新する。
【００５９】
これにより、受信装置１では、たとえば、新規に創設された放送事業者からサービスを受信した際に系列情報５１を更新しておくことで次回サービスを受信した場合に、受信したサービスに対応する放送系列を判定することができる。
【００６０】
次に、図３を用いて記憶部５に記憶されている系列情報５１について説明する。図３は、本実施例に係る系列情報を示す図である。
【００６１】
図３に示すように、系列情報５１は、各サービスＩＤと各サービスＩＤを使用している放送事業者の属する放送系列とが対応付けられた情報である。ここで、サービスＩＤとは、ＡＲＩＢ（社団法人電波産業会）によって放送信号へ１００ｍｓ毎に重畳させることが規定されている情報である。
【００６２】
かかるサービスＩＤは、全国の各放送事業者が提供するサービス毎に異なる既知の情報である。具体的には、図３に示すように、サービスＩＤは、最下位ビット（ＬＳＢ）ｂ００〜最上位ビット（ＭＳＢ）ｂ１５までの１６ビットのデータによって構成されている。
【００６３】
このうち、ｂ１５〜ｂ１０までの６ビットは、地域識別情報を示すものである。かかる地域識別情報は、各サービスが提供される地域を識別するための情報であり、１〜６３の識別情報が設けられている。たとえば、識別情報０〜９には、関東、近畿などの広域放送の放送地域が対応付けられている。
【００６４】
また、識別情報１０〜１６には、北海道の各地域放送の放送地域が対応付けられ、識別情報１７〜６３には、北海道を除く４６都府県の各県域放送の放送地域が対応付けられている。なお、識別情報７〜９、６３は、未定義とされている。
【００６５】
また、ｂ０９は、県複フラグを示すものである。かかる県複フラグは、０、１の２種類が割り当てられるものであり、県複フラグ１は、当該地域で１つのＴＳ、または２つのＴＳを送出する場合の１つめのＴＳに使用される。一方、県複フラグ２は、当該地域で同一地域事業者（放送事業者）識別により２ＴＳを送出する場合の２つめのＴＳに使用される。
【００６６】
また、ｂ０８〜ｂ０７は、サービス種別情報を示すものであり、０〜３のサービス種別が設けられている。かかるサービス種別０は、テレビ型サービスを示し、サービス種別１、２は、部分受信サービスを除くデータ型サービスを示し、サービス種別３は、部分受信サービスのデータ型サービスを示すものである。
【００６７】
また、ｂ０６〜ｂ０３は、地域事業者識別情報を示すものであり、０〜１５の地域事業者識別情報が設けられている。かかる地域事業者識別情報は、各放送地域でサービスを提供する各放送事業者を識別するための情報である。
【００６８】
ｂ０２〜ｂ００は、サービス番号を示すものであり、０〜７のサービス番号が設けられている。かかるサービス番号は、当該ＴＳ内のサービス種別毎に放送事業者が設定可能な番号であり、所謂チャンネルにあたるものである。
【００６９】
そして、受信装置１では、各サービスＩＤに対し、各サービスＩＤを使用している放送事業者の属する放送系列を識別するための放送系列識別情報を対応付け、系列情報５１として記憶部５へ記憶している。
【００７０】
次に、図４を用いて本実施例に係る受信装置１の動作について説明する。図４は、本実施例に係る受信装置１の動作を示す図である。以下では、第１受信部２によって受信中のサービスを出力している場合について説明する。
【００７１】
なお、図４（Ａ）には、第１受信部２からＴＳ信号が入力された場合のサービスＩＤ取得部４１の動作を示しており、図４（Ｂ）には、第２受信部３からＴＳ信号が入力された場合のサービスＩＤ取得部４１の動作を示している。
【００７２】
また、図４（Ｃ）には、サービスＩＤ取得部４１がネットワークフォローのための出力の切替先を決定する場合の動作と、出力切替部４２が出力装置０３へ出力するサービスを切り替える場合の動作を示している。なお、以下、第１受信部２から出力されるＴＳ信号を第１ＴＳ信号といい、第２受信部３から出力されるＴＳ信号を第２ＴＳ信号という。
【００７３】
サービスＩＤ取得部４１は、第１受信部２が受信しているサービスＡ１の第１ＴＳ信号が入力されると、図４（Ａ−１）に示すように、まず、第１ＴＳ信号からサービスＡ１のサービスＩＤであるサービスＩＤａを取得する。
【００７４】
続いて、サービスＩＤ取得部４１は、図４（Ａ−２）に示すように、予め記憶している系列情報５１を参照し、サービスＩＤａに対応する放送系列を判別する。このとき、サービスＩＤ取得部４１は、系列情報５１でサービスＩＤａに対応付けられている放送系列がＡ系列であるため、放送系列をＡ系列と判別する（図４（Ａ−３）参照）。
【００７５】
続いて、サービスＩＤ取得部４１は、図４（Ｂ―１）に示すように、第２ＴＳ信号からサービスＩＤを取得する。このとき、サービスＩＤ取得部４１は、第２受信部３が受信可能なサービスとしてサービスＰ１を検索して受信していた場合、第２ＴＳ信号からサービスＰ１のサービスＩＤであるサービスＩＤｐを取得する。
【００７６】
かかるサービスＩＤは、前述のように、１００ｍｓおきに放送信号へ重畳される情報であり、従来の受信手法で放送系列を判別するために取得していた系列ＩＤの１／１０の時間間隔で放送信号へ重畳される情報である。
【００７７】
続いて、サービスＩＤ取得部４１は、図４（Ｂ−２）に示すように、系列情報５１を参照してサービスＩＤｐに対応する放送系列を判別する。ここで、サービスＩＤ取得部４１は、図４（Ｂ−３）に示すように、サービスＩＤｐに対応する放送系列をＢ系列と判別する。このように、受信装置１では、従来の受信手法で放送系列を判別するために取得していた系列ＩＤの１／１０の時間間隔で放送信号へ重畳されるサービスＩＤに基づいて放送系列を判別するため、従来における受信手法よりも早期に放送系列をＢ系列と判別できる。
【００７８】
続いて、サービスＩＤ取得部４１は、図４（Ｃ―１）に示すように、第１ＴＳ信号および第２ＴＳ信号からそれぞれ取得した各サービスＩＤに対応する放送系列が一致するか否かを判定する。ここで、サービスＩＤ取得部４１は、第１ＴＳ信号から取得したサービスＩＤに対応する放送系列がＡ系列であり、第２ＴＳ信号から取得したサービスＩＤに対応する放送系列がＢ系列であるため、放送系列が一致しない（ＮＧ）と判定する。
【００７９】
かかる場合、サービスＩＤ取得部４１は、第２受信部３へ受信可能な他のサービスの検索要求を行う。そして、第２受信部３は、かかる検索要求を受け付けると、受信可能な他のサービスを新たに検索して受信する。ここでは、第２受信部３がサービスＱ１を新たに検索したとする。
【００８０】
すると、サービスＩＤ取得部４１は、図４（Ｂ−４）に示すように、第２ＴＳ信号からサービスＱ１のサービスＩＤであるサービスＩＤｑを取得する。続いて、サービスＩＤ取得部４１は、図４（Ｂ−５）に示すように、系列情報５１を参照してサービスＩＤｑに対応する放送系列を判別する。
【００８１】
ここで、サービスＩＤ取得部４１は、図４（Ｂ−６）に示すように、サービスＩＤｐに対応する放送系列をＡ系列と判別する。ここでも、受信装置１では、サービスＰ１の場合と同様に、サービスＩＤに基づいて放送系列を判別するため、従来における受信手法よりも早期に放送系列をＡ系列と判別することができる。
【００８２】
続いて、サービスＩＤ取得部４１は、図４（Ｃ―２）に示すように、第１ＴＳ信号および第２ＴＳ信号からそれぞれ取得した各サービスＩＤに対応する放送系列が一致するか否かを判定する。
【００８３】
ここで、サービスＩＤ取得部４１は、第１ＴＳ信号から取得したサービスＩＤに対応する放送系列がＡ系列であり、第２ＴＳ信号から取得したサービスＩＤに対応する放送系列もＡ系列であるため、放送系列が一致する（ＯＫ）と判定する。
【００８４】
かかる場合、サービスＩＤ取得部４１は、第２受信部３によって新たに検索されたサービスＱ１をネットワークフォローのための出力の切替先として決定する。
【００８５】
その後、受信装置１では、図４（Ｃ−３）に示すように、第１受信部２によるサービスＡの受信レベルが第２受信部３によるサービスＱ１の受信レベルを下回る時刻Ｔまで、サービスＡ１を継続して出力装置０３へ出力する。なお、ここでの受信レベルとしては、たとえば、放送信号の受信電界強度を用いることができる。
【００８６】
そして、受信装置１では、第１受信部２によるサービスＡの受信レベルが第２受信部３によるサービスＱ１の受信レベルを下回った場合、出力切替部４２が出力装置０３へ出力するサービスをサービスＡ１からサービスＱ１へ切替えてネットワークフォローを行う。
【００８７】
このように、受信装置１では、第２受信部３が新たに検索したサービスに対応する放送系列を従来における受信手法よりも早期に判別することができるため、ネットワークフォローのための出力の切替先を決定するまでに要する時間を短縮することができる。
【００８８】
次に、図５を用いて本実施例に係る受信装置１で実行される処理について説明する。図５は、本実施例に係る受信装置１で実行される処理を示すフローチャートである。受信装置１では、受信装置１へ電源が投入されている期間、同図に示す処理が繰り返し実行される。
【００８９】
図５に示すように、受信装置１では、サービスＩＤ取得部４１が第１受信部２および第２受信部３より入力されるＴＳ信号からサービスＩＤを取得したか否かを判定する（ステップＳ１０１）。
【００９０】
そして、サービスＩＤ取得部４１は、サービスＩＤを取得していないと判定した場合（ステップＳ１０１，Ｎｏ）、処理を終了する。一方、サービスＩＤ取得部４１は、サービスＩＤを取得したと判定した場合（ステップＳ１０１，Ｙｅｓ）、処理をステップＳ１０２へ移す。
【００９１】
ステップＳ１０２において、サービスＩＤ取得部４１は、取得したサービスＩＤが既存のサービスＩＤか否かを判定する（ステップＳ１０２）。すなわち、サービスＩＤ取得部４１は、取得したサービスＩＤが既に系列情報５１として記憶部５へ記憶されているサービスＩＤか否かを判定する。
【００９２】
そして、サービスＩＤ取得部４１は、取得したサービスＩＤが既存のサービスＩＤでないと判定した場合（ステップＳ１０２，Ｎｏ）、処理をステップＳ１０８へ移す。ステップＳ１０８において、系列情報更新部４３は、サービスＩＤ取得部４１より入力されるＴＳ信号から系列ＩＤ（放送系列識別情報）を取得する。
【００９３】
続いて、系列情報更新部４３は、サービスＩＤ取得部４１より入力されたサービスＩＤと取得した系列ＩＤとを対応付けて記憶部５へ記憶させることにより系列情報５１の更新を行い（ステップＳ１０９）、処理を終了する。
【００９４】
一方、サービスＩＤ取得部４１は、取得したサービスＩＤが既存のサービスＩＤであると判定した場合（ステップＳ１０２，Ｙｅｓ）、第１受信部２および第２受信部３より入力されるＴＳ信号から取得したサービスＩＤに対応する各放送系列が一致するか否かを判定する（ステップＳ１０３）。
【００９５】
そして、サービスＩＤ取得部４１は、放送系列が一致しないと判定した場合（ステップＳ１０３，Ｎｏ）、出力装置０３へ出力されていない方のサービスを受信している受信部（第１受信部２または第２受信部３）へ受信可能なサービスを新たに検索する検索要求を行って（ステップＳ１０７）、処理を終了する。
【００９６】
一方、サービスＩＤ取得部４１は、放送系列が一致したと判定した場合（ステップＳ１０３，Ｙｅｓ）、処理をステップＳ１０４へ移す。ステップＳ１０４において、出力切替部４２は、第１受信部２によるサービスの受信レベルと第２受信部３によるサービスの受信レベルとが反転したか否かの判定を行う。
【００９７】
そして、出力切替部４２は、受信レベルが反転したと判定した場合（ステップＳ１０４，Ｙｅｓ）、出力装置０３へサービスを出力していない方の受信部（第１受信部２または第２受信部３）が受信中のサービスへ出力を切替え（ステップＳ１０５）、処理を終了する。
【００９８】
一方、出力切替部４２は、受信レベルが反転していないと判定した場合（ステップＳ１０４，Ｎｏ）、他方の受信部より入力されるＴＳ信号からサービスＩＤを取得してから所定時間（１００ｍｓ）が経過したか否かを判定する（ステップＳ１０６）。
【００９９】
そして、出力切替部４２は、所定時間が経過していないと判定した場合（ステップＳ１０６，Ｎｏ）、処理をステップＳ１０４へ移す。一方、出力切替部４２は、所定時間が経過したと判定した場合（ステップＳ１０６，Ｙｅｓ）、処理を終了する。
【０１００】
ところで、受信装置１は、記憶部５へ系列情報５１に加え、各放送地域に対し、各放送地域に隣接する放送地域を対応付けた隣接地域情報を記憶しておくことで、ネットワークフォローに要する時間をさらに短縮することができる。
【０１０１】
ここで、図６および図７を用いて隣接地域情報を用いてネットワークフォローのための出力の切替先を決定する場合について説明する。図６は、本実施例に係る隣接地域情報５２の一例を示す図であり、図７は、本実施例に係る隣接地域情報５２を記憶している場合の受信装置１の動作を示す図である。
【０１０２】
図６に示すように、隣接地域情報５２は、各地域識別情報に対し、各地域識別情報に対応する放送地域と隣接する放送地域の地域識別情報を対応付けた情報である。たとえば、同図に示すように、兵庫に付与された地域識別情報（４２）に対しては、大阪、京都、岡山、鳥取、岡山香川広域、島根鳥取広域にそれぞれ対応する地域識別情報（４０）、（４１）、（４７）、（４９）、（５）、（６）が対応付けられている。
【０１０３】
かかる隣接地域情報５２を記憶している場合、受信装置１では、サービスＩＤ取得部４１は、第１受信部２で受信中のサービスを出力している場合、出力中のサービスが放送されている放送地域と隣接する放送地域で放送系列が同一の放送事業者を隣接地域情報５２に基づいて第２受信部３へ検索させる。
【０１０４】
たとえば、図７（Ａ）に示すように、受信装置１を搭載した車両が兵庫を移動している場合、車両が走行している放送地域には、大阪、京都、岡山、鳥取、岡山香川広域、島根鳥取広域という６つの放送地域が隣接している。
【０１０５】
かかる場合、サービスＩＤ取得部４１は、第１受信部２より入力されるＴＳ信号から取得したサービスＩＤに基づいて車両が走行している放送地域を兵庫と判定し、兵庫に隣接する放送地域の地域識別情報を隣接地域情報５２に基づいて検索する。
【０１０６】
続いて、サービスＩＤ取得部４１は、図７（Ｂ）に示すように、検索した地域識別情報に対応する大阪、京都、岡山、鳥取、岡山香川広域、島根鳥取広域で放送中のサービスのみを第２受信部３に検索させる。
【０１０７】
これにより、受信装置１によれば、第１受信部２で受信中のサービスが放送されている放送地域と隣接しない放送地域で放送中のサービスを第２受信部３へ不必要に検索させることがないため、ネットワークフォローに要する時間をさらに短縮することができる。
【０１０８】
ところで、３つ以上の放送地域が重複する地域では、第１受信部２で受信中のサービスを出力している場合、出力中のサービスと放送系列が同じ複数の他のサービスが放送されている。
【０１０９】
また、ごくまれに、同一の放送系列に属している放送事業者から放送されているサービスでサービスＩＤが同一であっても、サービスの内容が異なる場合がある。このため、受信装置１は、３つ以上の放送地域が重複する地域を考慮してネットワークフォローのための出力の切替先を決定するように動作させるよう構成することもできる。
【０１１０】
ここで、図８を用いて３つ以上の放送地域が重複する地域を考慮した受信装置１の動作の一例について説明する。図８は、３つ以上の放送地域が重複する地域を考慮した受信装置１の動作の一例を示す図である。
【０１１１】
以下では、３つの放送地域が重複する放送地域を受信装置１が移動している場合について説明する。また、ここでは、放送系列がＡ系列のある放送事業者が放送しているサービスＡ１を第１受信部２によって受信して出力装置０３へ出力中に、第２受信部３がＡ系列に属する他の放送事業者から放送中のサービスＭ１、Ｎ１を順次検索した場合について説明する。
【０１１２】
なお、図８（Ａ）には、第２受信部３から第２ＴＳ信号が入力された場合のサービスＩＤ取得部４１の動作を示している。また、図８（Ｂ）、（Ｃ）には、第１受信部２および第２受信部３による受信レベルが反転するまでの時間に応じたサービスＩＤ取得部４１および出力切替部４２の動作を示している。
【０１１３】
第１受信部２で受信中のサービスＡ１を出力装置０３へ出力している場合、サービスＩＤ取得部４１は、図８（Ａ−１）に示すように、第２ＴＳ信号からサービスＭ１のサービスＩＤであるサービスＩＤｍを取得する。
【０１１４】
続いて、サービスＩＤ取得部４１は、図８（Ａ―２）に示すように、系列情報５１に基づいてサービスＩＤｍに対応する放送系列をＡ系列と判別する。そして、サービスＩＤ取得部４１は、図８（Ａ−３）に示すように、サービスＭ１をネットワークフォローのための出力の切替先として仮決定する。
【０１１５】
続いて、サービスＩＤ取得部４１は、第２受信部３へ受信可能なＡ系列の他のサービスを検索するよう要求する。かかる要求を受けて第２受信部３がＡ系列に属するサービスＮ１を検索して受信すると、サービスＩＤ取得部４１は、図８（Ａ−４）に示すように、第２ＴＳ信号からサービスＮ１のサービスＩＤであるサービスＩＤｎを取得する。
【０１１６】
続いて、サービスＩＤ取得部４１は、図８（Ａ−５）に示すように、系列情報５１に基づいてサービスＩＤｎに対応する放送系列をＡ系列と判別する。そして、サービスＩＤ取得部４１は、図８（Ａ−６）に示すように、サービスＮ１をネットワークフォローのための出力の切替先として仮決定する。
【０１１７】
これにより、サービスＩＤ取得部４１は、受信装置１が移動中の地域で第１受信部２が受信中のサービスＡ１以外で受信可能なＡ系列の他のサービスＭ１、Ｎ１を全て出力の切替先として仮決定したことになる。
【０１１８】
その後、サービスＩＤ取得部４１は、第１受信部２および第２受信部３によるサービスの受信レベルが反転するまでの間、図８（Ｂ）に示す動作を行う。すなわち、サービスＩＤ取得部４１は、図８（Ｂ−１）に示すように、サービスＡ１およびサービスＭ１でそれぞれ放送されて各番組を識別するためのイベントＩＤを取得し、イベントＩＤ同士が一致するか否かのイベントＩＤ判定を行う。
【０１１９】
かかるイベントＩＤは、同一番組に対して同一のＩＤを付与することがＡＲＩＢによって規定されている情報である。すなわち、イベントＩＤが同一の場合、サービスＡ１およびサービスＭ１で同一の番組が放送されていることになる。
【０１２０】
このため、サービスＩＤ取得部４１は、サービスＡ１のイベントＩＤとサービスＭ１のイベントＩＤとを同一と判定した場合、サービスＭ１をネットワークフォローのための出力の切替先として本決定する（図８（Ｂ−２）参照）。
【０１２１】
続いて、サービスＩＤ取得部４１は、サービスＮ１についても同様にサービスＩＤを取得し、取得したサービスＩＤとサービスＡ１のサービスＩＤとが同一か否かのイベントＩＤ判定を行う。
【０１２２】
なお、かかるイベントＩＤ判定の結果、サービスＭ１またはサービスＮ１のイベントＩＤがサービスＡ１のイベントＩＤと同一でないと判定した場合、サービスＩＤ取得部４１は、同一でないと判定したサービスＭ１またはＮ１を切替先から除外する。
【０１２３】
その後、第１受信部２および第２受信部３による受信レベルが時刻ｔ１で反転した場合、出力切替部４２は、出力装置０３へ出力するサービスをサービスＡ１から本決定した出力先へ切替える。
【０１２４】
これにより、受信装置１は、第１受信部２および第２受信部３による受信レベルが反転するまでの間に出力の切替先を本決定できていれば、ネットワークフォローを行う際、確実に同じ番組が放送されている他のサービスへ出力を切替えることができる。
【０１２５】
一方、サービスＩＤ取得部４１は、第１受信部２および第２受信部３による受信レベルが反転するまでの間に出力の切替先を本決定できていない場合、図８（Ｃ）に示す動作を行う。
【０１２６】
すなわち、サービスＩＤ取得部４１は、時刻ｔ１より前の時刻ｔ０で第１受信部２および第２受信部３による受信レベルが反転した場合、出力の切替先を本決定できていないことがある。
【０１２７】
かかる場合、出力切替部４２は、図８（Ｃ−１）に示すように、時刻ｔ０で第１受信部２および第２受信部３による受信レベルが反転すると、その時点で仮決定している切替先へ出力切替えを行う。
【０１２８】
続いて、サービスＩＤ出力部４１は、図８（Ｃ−２）に示すように、切替えたサービスの出力中に、出力中のサービスのイベントＩＤと、切替え前のサービスＡ１のイベントＩＤとが同一であるか否かのイベントＩＤ判定を行う。
【０１２９】
そして、サービスＩＤ取得部４１は、イベントＩＤ判定の結果、イベントＩＤが同一（サービス判定：ＯＫ）の場合、図８（Ｃ−３）に示すように、切替えたサービスの出力を継続する。
【０１３０】
一方、出力切替部４２は、イベントＩＤ判定の結果、イベントＩＤが同一でない（サービスＩＤ判定：ＮＧ）場合、図８（Ｃ−４）に示すように、仮判定している他の切替先へ出力切替を行う。
【０１３１】
このように、受信装置１では、第１受信部２および第２受信部３によるサービスの受信レベルが反転するまでに出力の切替先を本決定できている場合、ネットワークフォローを行う際、確実に同じ番組が放送されている他のサービスへ出力を切替えることができる。
【０１３２】
一方、受信装置１は、第１受信部２および第２受信部３によるサービスの受信レベルが反転するまでに出力の切替先を本決定できていない場合であっても、出力の切替前に出力していた番組と同一番組である可能性が高いサービスへ出力を切替えることができる。
【０１３３】
しかも、受信装置１では、仮決定した切替先へ出力を切替えた場合、切替え後のサービスのイベントＩＤが切替え前のサービスのイベントＩＤが同一でなかった場合に、仮判定している他のサービスへ自動的に出力を切替えることができる。
【０１３４】
したがって、受信装置１によれば、ネットワークフォローを行う場合に、迅速かつ極めて高い確率で同一の番組を継続して出力装置０３へ出力させることができる。
【０１３５】
上述したように、本実施例に係る受信装置では、ＡＲＩＢによって１００ｍｓ毎に各サービスの放送信号へ重畳することが規定されているサービスＩＤと各サービスＩＤを使用している放送事業者の属する放送系列とを対応付けた系列情報を予め記憶している。
【０１３６】
そして、本実施例に係る受信装置は、あるサービスの放送信号を受信して出力中に、受信可能な他のサービスの放送信号を検索する。続いて、本実施例に係る受信装置は、検索した放送信号および出力中の放送信号からそれぞれ１００ｍｓおきに取得した各サービスＩＤに対応する放送系列が同一か否かを系列情報に基づいて判定する。
【０１３７】
そして、本実施例に係る受信装置は、検索した放送信号および出力中の放送信号から取得されたサービスＩＤが同一であった場合に、検索した放送信号を出力の切替先として決定する。
【０１３８】
したがって、本実施例に係る受信装置は、１ｓおきに受信される系列ＩＤに基づいて出力の切替先を決定していた従来における受信手法よりも早期に出力の切替先を決定することができるためネットワークフォローに要する時間を短縮することができる。
【符号の説明】
【０１３９】
１  受信装置
２  第１受信部
３  第２受信部
４  制御部
４１  サービスＩＤ取得部
４２  出力切替部
４３  系列情報更新部
５  記憶部
５１  系列情報
５２  隣接地域情報
【図１】
2012039196.tif 000003
【図２】
2012039196.tif 000004
【図３】
2012039196.tif 000005
【図４】
2012039196.tif 000006
【図５】
2012039196.tif 000007
【図６】
2012039196.tif 000008
【図７】
2012039196.tif 000009
【図８】
2012039196.tif 000010